(57)【要約】【課題】  眼用デバイスを提供する。【解決手段】  眼用デバイスは、上又は内部に、蛍光に基づく分析素子を有するメディアインサートを有し、この眼用デバイスを使用して、特定のコンポーネントのための流体を分析及び監視することができる。蛍光に基づく分析素子に基づく活性眼用デバイスのための方法及びデバイスもまた、形成され得る。より具体的には、蛍光に基づく分析素子は、流体試料中のグルコースなどの検体を分析するために有用であり得る。【選択図】  図１Ａ
2015045864.tif 000002
【特許請求の範囲】
【請求項１】
眼用レンズメディアインサートデバイスであって、
前側の環状インサート部品が後側の環状インサート部品に封着されて、封着されたコンポーネント空洞を内部に備える環状メディアインサートを形成している、前側の環状インサート部品及び後側の環状インサート部品と、
前記封着されたコンポーネント空洞内のエネルギー源と、
前記封着されたコンポーネント空洞内に少なくとも部分的に位置づけられた少なくとも第１の相互接続部と、
前記封着されたコンポーネント空洞内の電子回路と、
前記環状インサート部品から突出しているタブであって、蛍光分析コンポーネント、及び前記蛍光分析コンポーネントを前記電子回路に接続する少なくとも１つの電気相互接続部を支持するように構成されている、タブと、を備える、眼用レンズメディアインサートデバイス。
【請求項２】
前記タブが、前記前側の環状インサート部品の成形された一部分であり、
前記蛍光分析コンポーネントが、前記後側の環状インサート部品の前記タブ部分上で支持される、請求項１に記載の眼用レンズメディアインサート。
【請求項３】
前記タブが、前記後側の環状インサート部品の成形された一部分であり、
前記蛍光分析コンポーネントが、前記後側の環状インサート部品の前記タブ部分上で支持される、請求項１に記載の眼用レンズメディアインサート。
【請求項４】
前記タブが、前記前側の環状インサート部品及び前記後側の環状インサート部品の両方の成形された一部分であり、前記蛍光分析コンポーネントが、前記前側の環状インサート部品及び前記後側の環状インサート部品のタブ領域によって形成された前記タブの空洞の内部で支持される、請求項１に記載の眼用レンズメディアインサート。
【請求項５】
眼用コンタクトレンズデバイスであって、
前側の環状インサート部品が後側の環状インサート部品に封着されて、封着されたコンポーネント空洞を内部に備える環状メディアインサートを形成する、前側の環状インサート部品及び後側の環状インサート部品と、
前記封着されたコンポーネント空洞内のエネルギー源と、
前記封着されたコンポーネント空洞内に少なくとも部分的に位置づけられた少なくとも第１の相互接続部と、
前記封着されたコンポーネント空洞内の電子回路と、
前記環状インサート部品から突出しているタブであって、蛍光分析コンポーネント、及び前記蛍光分析コンポーネントを前記電子回路に接続する少なくとも１つの電気相互接続部を支持するように構成されている、タブと、
前記メディアインサートを含むヒドロゲルスカートと、を備える、眼用コンタクトレンズデバイス。
【請求項６】
安定化機構を更に備え、前記眼用コンタクトレンズデバイスが使用者により着用されているときに、前記安定化機構が、前記蛍光分析コンポーネントを空間に位置づけることを助ける、請求項５に記載の眼用コンタクトレンズデバイス。
【請求項７】
前記電子回路が、積層型集積コンポーネントデバイスを備える、請求項５に記載の眼用コンタクトレンズデバイス。
【請求項８】
眼用デバイスのための眼流体分析システムであって、
前記眼用デバイスの一部を形成するエネルギー源を備えているエネルギー印加された眼用デバイスであって、使用者の眼の前記眼流体と接触して配置されている間に着用するために好適である、エネルギー印加された眼用デバイスと、
前記エネルギー源と電気通信する蛍光分析システムであって、前記眼環境における蛍光信号を測定するように構成される、蛍光分析システムと、
眼組織内に埋め込まれた蛍光分析プローブであって、前記蛍光分析プローブが、その場所の流体中の少なくとも第１の化合物と相互作用し、前記蛍光分析プローブが相互作用する前記第１の化合物の濃度及び前記蛍光分析システムから前記蛍光分析プローブが受信する励起信号に少なくとも部分的に基づく特性信号を発する、蛍光分析プローブと、
前記眼用デバイスの一部を形成するプロセッサであって、前記蛍光分析システムによって観察された前記蛍光信号に関係する値を記憶することを含むプログラムを実行する能力を有し、前記プログラムは、送信コマンドを外部デバイスから受信したときに信号を出力するように構成され、前記出力された信号は、前記記憶された値のいくつかを前記出力された信号にエンコードする、プロセッサと、を備える、眼流体分析システム。
【請求項９】
眼用デバイスのための眼流体分析システムであって、
前記眼用デバイスの一部を形成するエネルギー源を備えているエネルギー印加された眼用デバイスであって、使用者の眼の前記眼流体と接触して配置されている間に着用するために好適である、エネルギー印加された眼用デバイスと、
前記エネルギー源と電気通信する蛍光分析システムであって、前記眼環境における蛍光信号を測定するように構成される、蛍光分析システムと、
眼組織内に埋め込まれた蛍光分析プローブであって、前記蛍光分析プローブが、その場所の流体中の少なくとも第１の化合物と相互作用し、前記蛍光分析プローブが相互作用する前記第１の化合物の濃度及び前記蛍光分析システムから前記蛍光分析プローブが受信する励起信号に少なくとも部分的に基づく特性信号を発する、蛍光分析プローブと、
前記眼用デバイスの一部分を形成するプロセッサであって、前記蛍光信号特性によって示される１つ又は２つ以上の眼流体特性に関して、検出された蛍光信号を予めプログラムされた閾値に対して評価することを含むプログラムを実行する能力を有し、前記プログラムは、それらの測定値が、対応する前記予めプログラムされた閾値の外であるときに、信号を出力するように構成される、プロセッサと、を備える、眼流体分析システム。
【請求項１０】
眼流体を監視する方法であって、
蛍光分析システムを備える眼用コンタクトレンズを使用者に提供すること、及び
前記眼用コンタクトレンズから発せられた送信に関係するデータ値を受信すること、を含む、方法。
【発明の詳細な説明】
【技術分野】
【０００１】
本発明は、眼科デバイス自体の上又はデバイスに蛍光検出器を有する眼科デバイスに関する。眼科デバイスは、眼環境において流体中の検体を分析するために使用することができる。
【背景技術】
【０００２】
従来、コンタクトレンズ、眼内レンズ、又は涙点プラグなどの眼用デバイスには、矯正的、美容的、又は治療的性質を有する生体適合性デバイスが含まれていた。コンタクトレンズは、例えば、視力矯正機能、美容増進、及び治療効果のうちの１つ又は２つ以上を提供することができる。各機能は、レンズの物理的特性によってもたらされる。レンズに屈折性を取り入れた設計により、視力矯正機能を提供することができる。レンズに色素を取り入れることにより、美容増進効果をもたらすことができる。レンズに活性薬剤を取り入れることにより、治療的機能を提供することができる。こうした物理的特性は、レンズがエネルギー印加された状態になることなく実現される。従来、眼用デバイスは、受動的装置である。
【０００３】
エネルギー印加された眼用インサートに基づいた新規な眼用デバイスが、最近になって説明されている。これらのデバイスは、エネルギー印加機能を用いて能動的光学コンポーネントに電力供給することができる。
【０００４】
関係分野において、眼組織に移植される最近開発されたグルコース検出デバイスが説明されている。それらのデバイス及び将来の代替品は、プローブの近くのグルコースの濃度に敏感である共鳴信号を生成するために、フェルスター（Forster）共鳴エネルギー移動（ＦＲＥＴ）プローブを利用することができる。例示的なデバイスとしては、眼環境における間質液（ＩＳＦ）中のグルコース濃度を調べるために眼の比較的透明な組織内に配置されたインプラントが挙げられる。
【０００５】
これらのデバイスのいくつかは、手持ち式の蛍光検出器によって調べられる。蛍光検出器配列を組み込んだコンタクトレンズは、グルコース濃度を検出するための便利で改善された手段を提供し得る。したがって、それは、グルコースのレベルを分析するためにエネルギー印加された蛍光検出器を組み込み得る眼用デバイスを設計するために有用であり得る。
【発明の概要】
【発明が解決しようとする課題】
【０００６】
本発明による蛍光検出器を組み込んだ眼用デバイスは、上で簡単に述べたように、先行技術に伴う欠点を克服する。したがって、本発明は、蛍光分析器コンポーネントを備えた封入されたメディアインサートを含む。
【課題を解決するための手段】
【０００７】
いくつかの代替実施形態では、環状のメディアインサートのデバイスの封着されたコンポーネント空洞を含む環状メディアインサートを備える眼用レンズメディアインサートデバイスが形成され得る。環状メディアインサートは、ともに接合される前側の環状インサート部品と後側の環状インサート部品とから形成され得る。後側の環状インサート部品は、後方の環状インサート部品ともまた呼ばれる場合がある。いくつかの代表的な実施形態では、前側の環状インサート部品は、後側の環状インサート部品に封着され得る。この封着は様々なやり方及び場所で生じてよいが、いくつかの代表的な実施形態では、内側の環状シールの場所と外側の環状シールの場所との双方が形成され、封着され得る。そのようなやり方で環状メディアインサートが封着されたとき、様々なシールと、環状の前側のインサート部品及び環状の後方のインサート部品との間の領域は、様々なコンポーネントを位置付けることができる空洞であり得る。
【０００８】
いくつかの代表的な実施形態では、エネルギー源は、環状メディアインサートのデバイスの封着されたコンポーネント空洞の中に位置づけられ得るコンポーネントであり得る。他の代表的な実施形態では、エネルギー源は、封着されたコンポーネント空洞の外部に又は部分的に外部に位置づけられ得るが、封着された空洞のデバイスのコンポーネントと電気接続する能力を有する。
【０００９】
いくつかの代表的な実施形態では、眼用レンズメディアインサートデバイスは、封着されたコンポーネント空洞の内部に少なくとも部分的に位置づけられ得る相互接続部もまた含み得る。
【００１０】
いくつかの代表的な実施形態では、封着されたコンポーネント空洞の内部に電子回路が位置づけられ得る。
【００１１】
いくつかの代表的な実施形態では、材料のタブが、前側の環状インサート部品、後方若しくは後側の環状インサート部品のいずれかから、又はこれらのいずれかに接続された特徴として、環状インサートから突出している場合がある。いくつかの代表的な実施形態では、タブは、環状インサート部品の表面の少なくとも部分に沿って、蛍光分析コンポーネントを支持することができる。いくつかの実施形態では、表面部分は、封着されたコンポーネント空洞の外部に位置づけられる場合があり、あるいは、それは、タブ領域の内部に位置づけられ得るか又はタブ領域に接続され得る、封着されたコンポーネント空洞の内部に位置づけられる場合がある。蛍光分析コンポーネントは、相互接続部の一部分に接続することができ、環状メディアインサートデバイスの内部の電子回路と電気通信し得る。
【００１２】
いくつかの代表的な実施形態では、タブ領域は、前側の環状表面上に形成されてもよく、後側若しくは後方の環状インサート部品上に形成されてもよい。蛍光分析コンポーネントは、後側の環状インサート部品のタブ領域上で支持され得る。他の代表的な実施形態では、蛍光分析コンポーネントは、前側の環状インサート部品のタブ領域上で支持され得る。更に他の代表的な実施形態では、蛍光分析コンポーネントは、前側の環状インサート部品及び後側の環状インサート部品のいずれか又は両方の近くに位置づけられ得るが、いずれの部品にも直接に貼付されてはならない。いくつかの代表的な実施形態では、前側の環状インサート部品又は後側の環状インサート部品のうちの一方のみの上にタブ領域が形成され得る。
【００１３】
いくつかの代表的な実施形態では、眼用コンタクトレンズデバイスは、環状メディアインサートデバイスを利用して形成され得る。いくつかの代表的な実施形態では、前記の説明と一貫したメディアインサートデバイスは、眼環境におけるヒト組織との相互作用と一致し得る材料のスカートの内部に封入すること又は包むことができる。いくつかの代表的な実施形態では、スカートはヒドロゲル材料を含み得る。
【００１４】
蛍光プローブは、ヒトの眼環境の組織に近接して位置づけることができ、したがって、その環境において固定の場所及び配向を有し得る。眼用コンタクトレンズデバイスにとって、蛍光分析コンポーネントが蛍光プローブと正しく相互作用し得るように配向を維持することは重要であり得る。メディアインサートを包む又は封入する材料のスカートは、コンタクトレンズを配向する際に有用であり得る構造機構を含み得る。安定化機構又はゾーンと呼ばれる場合のあるこれらのデバイスは、例えば、使用者の睫毛を含む眼環境と眼用デバイスとの相互作用を通じて、眼用デバイスを正しい配向に維持することができる。
【００１５】
様々な代表的な蛍光検出の実施形態は、機能の制御、分析機能の実行、データの保存及びそれに類似した機能、並びに蛍光検出デバイスの外部に位置づけられた電子コンポーネント、受信機又はトランシーバへのデータの通信ための電子コンポーネントを含み得る。いくつかの代表的な実施形態では、電子コンポーネントのいくつか又は全ては、積層された統合コンポーネントの形態であってもよい。
【００１６】
いくつかの代表的な実施形態では、眼流体分析システムは眼用デバイスを含み得る。眼用デバイスは、エネルギー印加素子又は電池を備えることができ、それらの素子は眼用デバイスの一部分である。いくつかの代表的な実施形態では、眼用デバイスは、使用者の眼の眼流体と接触している間に使用者が着用するために好適であり得る。蛍光分析システムは、エネルギー源（単数又は複数）と電気通信し得る。蛍光分析システムは、眼環境において蛍光信号を測定するために動作可能に構成され得る。
【００１７】
いくつかの代表的な実施形態では、蛍光分析プローブは、蛍光分析システムを備えた眼用デバイスの部分がそれと相互作用し得るようなやり方で使用者の眼組織内に位置づけられ得る。蛍光分析プローブは、蛍光分析プローブの周囲の間質組織の空間に位置づけられる少なくとも第１の化合物と相互作用し得る。蛍光分析プローブは、その相互作用によってプローブが、それと相互作用する第１の化合物の濃度に少なくとも部分的に基づいている特徴的信号を発するようなやり方で、第１の化合物と相互作用し得る。特徴的信号の放出は、蛍光分析システムからそれが受信し得る励起信号との相互作用によって断定、トリガ及び又は支持され得る。いくつかの代表的な実施形態では、光に基づく励起信号は、デバイスの内部の電子回路の制御下で蛍光分析システムによって発せられてもよい。光に基づく励起信号は、蛍光分析プローブの内部で吸収され得、その後、プローブは、蛍光信号であり得る特徴的な信号を放出することができる。電子回路は、眼用デバイスの一部分又は部品を形成し得るプロセッサを含み得る。プロセッサは、プログラムを実行する能力を有することができ、プロセッサは、蛍光分析システムによって観察された蛍光信号に関係する値又はデータを記憶する能力を有し得る。いくつかの代表的な実施形態では、プロセッサは、信号の発信若しくは送信若しくは別のやり方で出力を引き起こすことができるように又はそれらを行うように構成され得る。いくつかの代表的な実施形態では、送信は、デバイスの外部から送られた信号の送信を受信することに基づいて引き起こされ得る又は開始され得る。出力された信号は、記憶された値を送信可能な信号に様々なやり方でエンコードし得る。
【００１８】
更にいくつかの他の代表的な実施形態では、プログラムを実行する能力を有し得るプロセッサは、予めプログラムされた閾値に対して、検出された蛍光信号を評価し得る。更に他の代表的な実施形態では、閾値は、外部ソースからの送信から受信され得る。閾値は、蛍光信号特質によって示され得る１つ又は２つ以上の眼流体の特性に関係し得る。いくつかの代表的な実施形態では、評価された検出された蛍光信号が閾値に関係する制限外であるとき、プロセッサ又は電子回路は信号の出力を引き起こし得る。信号は、外部のトランシーバ又は受信機によって受信することができ、いくつかの代表的な実施形態では、眼用デバイスの外部に引き起こされるアラーム又は他の作用の原因となり得る。
【００１９】
蛍光検出器を組み込んだ眼用デバイスは、様々なやり方で利用され得る。いくつかの代表的な実施形態では、蛍光分析システムを備える眼用デバイスが使用者に提供され得る。使用者は、例えば、コンタクトレンズデバイスとして眼用デバイスを着用し得る。いくつかの実施形態では、眼用コンタクトレンズから元々生じた送信の眼用デバイスの外部のデータ値の受信があり得る。換言すると、眼用デバイスは、外部のデバイスとの一方向又は双方向の通信のために構成され得る。
【図面の簡単な説明】
【００２０】
本発明の前述の特徴及び利点、並びに他の特徴及び利点は、以下の付属の図面に示される本発明の好ましい実施形態のより詳細な説明から明らかとなるであろう。
【図１Ａ】エネルギー印加された眼用デバイスのためのメディアインサートの代表的な実施形態、及びエネルギー印加された眼用デバイスの例示的な実施形態を示す。
【図１Ｂ】エネルギー印加された眼用デバイスのためのメディアインサートの代表的な実施形態、及びエネルギー印加された眼用デバイスの例示的な実施形態を示す。
【図２Ａ】代表的な環状形のインサート及び指示されている場所の断面図を示す。
【図２Ｂ】代表的な環状形のインサート及び指示されている場所の断面図を示す。
【図３】エネルギー印加された電子回路素子と電気通信する、辺縁の場所に位置づけられた蛍光センサを伴うメディアインサートの代表的な実施形態を示す。
【図４Ａ】蛍光センサを備えたメディアインサートを伴う眼用コンタクトレンズの代表的な実施形態を示す。代表的なコンタクトレンズの他の特徴もまた描かれている。
【図４Ｂ】蛍光センサを備えたメディアインサートを伴う眼用コンタクトレンズの代表的な実施形態を示す。代表的なコンタクトレンズの他の特徴もまた描かれている。
【図５Ａ】検体のための代表的な蛍光プローブを用いる代表的な眼環境を示す。この眼環境における、対応する眼用レンズの重なりもまた描かれている。
【図５Ｂ】検体のための代表的な蛍光プローブを用いる代表的な眼環境を示す。この眼環境における、対応する眼用レンズの重なりもまた描かれている。
【図６】受電ユニットに無線で情報を転送する、検体のための蛍光プローブを含む、眼環境における代表的な眼用レンズを示す。
【図７】眼用デバイスの内部に組み込まれる蛍光検出素子の代表的な積み重ねられたダイの実装を示す。
【図８】本発明の代表的な実施形態を実装するために使用され得るプロセッサを示す。
【発明を実施するための形態】
【００２１】
本発明は、蛍光プローブを刺激すること及びそのプローブからの蛍光発光を検知することができる検知素子を有する眼用デバイスに関する。以下の項において、本発明の例示的な実施形態がより詳細に説明される。好ましい実施形態及び代替的実施形態の説明はいずれも、あくまで代表的な実施形態に過ぎないものであって、当業者にとって、変形、改変、及び変更が明らかとなり得ることは理解される。したがって、例示的な実施形態は、基礎となる発明の範囲を限定するものではないと理解されるべきである。
【００２２】
用語集
本発明を目的とする本説明及び特許請求の範囲において、以下の定義が適用される、様々な用語が使用され得る。
「誘電体上のエレクトロウェッティング」すなわち「ＥＷＯＤ」：本明細書で使用するとき、不混和性の流体又は液体の組み合わせ、定義された表面自由エネルギーを有する表面領域、及び電位場が存在する、デバイスの類又はデバイスの部分の類を指す。典型的には、電位場は、表面領域の表面自由エネルギーを変更するが、これは、不混和性の流体と表面領域との相互作用を変更し得る。
【００２３】
「エネルギー印加された」：本明細書で使用するとき、電流を供給するか、又は内部に貯蔵される電気エネルギーを有することができる状態を指す。
【００２４】
「エネルギー」：本明細書で使用するとき、ある物理系が仕事をする能力のことを指す。本発明における多くの用途は、動作する際に電気的作用を行うことが可能な容量に関連し得る。
【００２５】
「エネルギー源」：本明細書で使用するとき、エネルギーを供給し、又は論理若しくは電気デバイスをエネルギー印加された状態に置くことが可能な、デバイス又は層を指す。
【００２６】
「エネルギーハーベスタ」：本明細書で使用するとき、環境からエネルギーを抽出することができ、それを電気的エネルギーに変換することができるデバイスを指す。
【００２７】
「蛍光プローブ」：本明細書で使用するとき、プローブが明示する蛍光特性を変更するためにその環境と相互作用する化学プローブを指す。
【００２８】
「蛍光に基づく分析」：本明細書で使用するとき、化学に基づく分析を行う際の蛍光特性の使用を指す。
【００２９】
「フルオロフォア」：本明細書で使用するとき、光の励起の際に光を再放射することができる、他の化合物と結合すること又は組み合わせることができる蛍光化合物を指す。
【００３０】
「機能化」：本明細書で使用するとき、例えば、エネルギー印加、作動、又は制御を含めた機能を、層又はデバイスが実行することを可能にすることを指す。
【００３１】
「漏れ」：本明細書で使用するとき、エネルギーの不必要な損失を指す。
【００３２】
「レンズ」又「は眼用デバイス」：本明細書で使用するとき、眼内又は眼上に置かれるあらゆるデバイスを指す。これらのデバイスは、光学的補正を提供すること、化粧用であること、又は眼と無関係の機能性を提供することが可能である。例えば、レンズという用語は、コンタクトレンズ、眼内レンズ、オーバーレイレンズ、眼球インサート、光学インサート、又は視力が補正若しくは変更されるか、又は視力を妨げることなく眼の生理機能が美容的に増強される（例えば、虹彩色）、他の同様のデバイスを指し得る。あるいは、レンズは、例えば、血糖値を監視し、薬剤を投与するといった、非光学的機能を提供するものであってもよい。いくつかの実施形態では、本発明の好ましいレンズは、例えば、シリコーンヒドロゲル類、及びフルオロヒドロゲル類を含む、シリコーンエラストマー類又はヒドロゲル類から製造されるソフトコンタクトレンズである。
【００３３】
「レンズ形成混合物」又は「反応性混合物」又は「反応性モノマー混合物（ＲＭＭ）」：本明細書で使用するとき、硬化してから架橋するか、又は架橋することにより眼用デバイスを形成することができる、モノマー材料又はプレポリマー材料のことを指す。異なる実施形態は、レンズ形成混合物を、例えば、ＵＶ遮断剤、染料、光開始剤又は触媒などのうちの１つ又は２つ以上の添加剤、及びコンタクトレンズ若しくは眼内レンズなどの眼用レンズにおいて望ましい他の添加剤とともに含み得る。
【００３４】
「レンズ形成表面」：本明細書で使用するとき、レンズの成形に使用される表面を指す。いくつかの例示的な実施形態では、任意のそのような面は、光学品質面仕上げを有することができるが、光学品質面仕上げとは、成形型の面に接触しているレンズ形成材料の重合によって作られるレンズ面が光学的に許容可能であるように形成されている、十分に滑らかな表面を示す。更に、いくつかの実施形態では、レンズ形成面は、レンズ表面に所望の光学特性を付与するのに必要な幾何学形状を有することができる。所望の光学特性としては、球面、非球面及び円筒屈折力、波面収差補正、角膜トポグラフィ補正等に加えて、これらの任意の組み合わせが挙げられる。
【００３５】
「リチウムイオンセル」：本明細書で使用するとき、リチウムイオンがセル内を移動し電気的エネルギーを生成する、電気化学セルを指す。典型的には電池とよばれるこの電気化学セルは、その典型的な状態に再付勢又は再充電され得る。
【００３６】
「メディアインサート」：本明細書で使用するとき、エネルギー印加された眼用デバイス内に含まれる封入されたインサートを指す。エネルギー印加素子及び回路がメディアインサートに組み込まれ得る。メディアインサートは、エネルギー印加された眼用デバイスの主目的を規定する。例えば、使用者が屈折力を調節することができるエネルギー印加された眼用デバイスの実施形態においては、メディアインサートは、光学的ゾーンにおける液体のメニスカスの部分を制御するエネルギー印加素子を含み得る。あるいは、メディアインサートは、オプティカルゾーンに材料を含まない環状型であり得る。かかる実施形態では、レンズのエネルギー印加された機能は光学的性質でない場合があるが、この機能は、例えば、グルコース監視又は薬剤投与であり得る。
【００３７】
「成形型」：本明細書で使用するとき、未硬化の配合物からレンズを形成するために使用することが可能な剛性又は半剛性の物体を指す。特定の好ましい成形型は、フロントカーブ成形型部分及びバックカーブ成形型部分を形成する２つの成形型部分を含む。
【００３８】
「動作モード」：本明細書で使用するとき、回路上の電流が、その主たるエネルギー印加による機能をデバイスが行うことを可能とするような高電流引き込み状態を指す。
【００３９】
「オプティカルゾーン」：本明細書で使用するとき、眼科用レンズの装用者がそこを通して見ることになる、眼科用レンズの領域を指す。
【００４０】
「電力」：本明細書において使用するとき、単位時間当たりに行われる仕事又は移動するエネルギーを指す。
【００４１】
「再充電可能」又は「エネルギーを再印加可能」：本明細書で使用するとき、仕事を行うためのより高い能力を有する状態へと回復するための能力を指す。本発明においては多くの場合、特定の率で、特定の復旧された期間、電流を流す能力は復元可能な能力との関連で使用され得る。
【００４２】
「再充電」又は「再付勢」：本明細書で使用するとき、仕事をするためのより高い能力を有する状態まで復元することを指す。本発明における多くの用途は、特定の率で、特定の復旧された期間、電流を流すことができるように、デバイスを回復することに関連し得る。
【００４３】
「成形型から離型された」：本明細書で使用するとき、成形型から完全に分離されているか、又は軽く揺動することによって取り外すか若しくは綿棒によって押し出すことができるようにごく緩く付着しているレンズを指す。
【００４４】
「積層された」：本明細書で使用するとき、少なくとも２層のコンポーネント層を、層のうちの１つの一方の面の少なくとも一部分が、第２の層の第１の面と接触するように、互いに近接して配置することを意味する。いくつかの例示的な実施形態では、接着又は他の機能のためのフィルムが２つの層の間に存在するが、これらの層は前記フィルムを介して互いに接触している。
【００４５】
「積層型集積コンポーネントデバイス（Stacked Integrated Component Device）」すなわち「ＳＩＣ素子」：本明細書で使用するとき、電気的及び電気機械的デバイスを含み得る基板の薄層を、各層の少なくとも一部分を互いの上に積層することにより、動作可能な集積デバイスとして組み立てるパッケージング技術による製品を指す。各層は、様々な種類、材料、形状、及びサイズのコンポーネントデバイスを含み得る。更に、層は、様々な輪郭に適合しかつこの輪郭を取るために、様々なデバイス製造技術により作製され得る。
【００４６】
「ストレージモード」：本明細書で使用するとき、電源が供給されているか、又は最小限の設計電流負荷の供給が必要とされる、電子コンポーネントを備えるシステムの状態を指す。この用語は、スタンバイモードと互換性はない。
【００４７】
「基板インサート」：本明細書で使用するとき、眼科用レンズ内部のエネルギー源を支持することが可能な、成形可能又は剛性の基板を指す。いくつかの例示的な実施形態では、基板インサートは１つ又は２つ以上のコンポーネントも支持する。
【００４８】
エネルギー印加された眼用デバイス
図１Ａを参照すると、エネルギー印加された眼用デバイス及び対応するエネルギー印加された眼用デバイス１５０（図１Ｂ）のためのメディアインサート１００の例示的実施形態が示される。メディアインサート１００は、視力補正を提供する機能性がある場合もない場合もあり得るオプティカルゾーン１２０を含み得る。眼用デバイスのエネルギー印加された機能が視力に関連しない場合は、メディアインサートのオプティカルゾーン１２０は、材料がなくてもよい。いくつかの代表的な実施形態では、メディアインサートは、エネルギー印加素子１１０（電源）及び電子コンポーネント１０５（ロード）が組み込まれた基板１１５からなる、オプティカルゾーン１２０内ではない部分を含み得る。
【００４９】
いくつかの代表的な実施形態では、例えば、半導体ダイであり得る、例えば、バッテリ、及びロード１０５のような電源１１０が基板１１５に取り付けられ得る。導電性トレース１２５及び１３０は、電子コンポーネント１０５とエネルギー印加素子１１０とを電気的に相互接続し得る。メディアインサートは、エネルギー印加素子１１０、トレース１２５、及び電子コンポーネント１０５を保護し、包含するために、完全に封入することができる。いくつかの代表的な実施形態では、封入材料は、例えば、水などの特定の物質がメディアインサートに浸入することを防止し、周囲の気体又はエネルギー印加素子内部の反応副生成物などの特定の物質がメディアインサートに浸透するか又はメディアインサートから逃げることを可能とするように半透過性のものとすることができる。
【００５０】
図１Ｂに描かれているように、いくつかの実施形態では、メディアインサート１００は、生分解性高分子材料を含み得る、眼用デバイス１５０に含まれる場合がある。眼用デバイス１５０は、剛性の中央部分、柔らかいスカートの設計を含み得、中央の剛性の光学素子がメディアインサート１００を含む。特定の実施形態では、メディアインサート１００は、大気及び角膜表面とそれぞれ前面及び後面において直接接触してもよく、あるいは、メディアインサート１００は、眼用デバイス１５０内に封入されてもよい。眼用デバイス又はレンズ１５０の周辺１５５は、例えば、ヒドロゲル材料を含む柔らかいスカート材料であり得る。メディアインサート１００及び眼用デバイス１５０の基盤は、蛍光に基づく分析素子を用いる流体試料の処理を伴う多くの実施形態のための環境を提供し得る。
【００５１】
図２Ａ〜２Ｂを参照すると、環状形の代表的なマルチピースインサート２００の描写が、平面図（図２Ａ）と断面図（図２Ｂ）との両方に示されている。インサート２００は、材料を欠く中央のオプティカルゾーン周囲に材料のリングを備える環状インサートである。環状インサート２００は、項目２２０によって示されている外面範囲と、項目２３０の内面環状縁と、を含む。インサート２００に含まれているエネルギー印加素子、様々なタイプの相互接続機構及び電子回路素子を見出すことができる。
【００５２】
２９０の破線は、断面方向を表している。破線の方向に沿った断面が、２９０として、図２Ｂの詳細に示されている。断面は、インサート２００が前側インサート部品２９１と後側インサート部品２９２との組み合わせであり得ることを明らかに示している。これらの２つの片を環状の様々な表面に沿って接合及び封着する様々な手段が画定され得、代表的な封着設計が描かれている。封入された場所の中には、相互接続素子に接続された集積回路素子２９３もまた示され得る。いくつかの代表的な実施形態では、後側インサート部品２９２は、集積回路２９３の領域内に隙間を有し得る。これらの代表的な実施形態では、集積回路２９３は、センサがインサート部品の摂動態様なしに放射物を感知し得る場合は、改善された方法で機能し得るセンサを含み得る。
【００５３】
検体分析用の蛍光に基づくプローブ素子
蛍光に基づく分析法を用いて、様々なタイプの検体を検出し、分析することができる。これらの手法のサブセットは、検体自体からの直接の蛍光発光を含み得る。より包括的な手法セットは、検体分子と結合し、そのように結合することによって蛍光符号を変更する構成成分を有する蛍光プローブに関係する。例えば、フォルスター共鳴エネルギー移動（ＦＲＥＴ）において、プローブは、相互作用するタンパク質に化学的に付着し得る２つのフルオロフォアの組み合わせを用いて構成される。フルオロフォアの互いからの距離は、それ自体が発する蛍光信号の効率に影響し得る。それらのフルオロフォアの一方は、励起放射信号を吸収することができ、その励起を、もう一方のフルオロフォアの電子状態に共鳴により移動させ得る。結合した、相互作用するタンパク質への検体の結合は幾何学を乱し、フルオロフォアの対からの蛍光発光における変化を引き起こし得る。結合部位は、相互作用するタンパク質に遺伝学的にプログラムすることができ、例えば、グルコースに反応する結合部位をプログラムすることができる。場合によっては、得られる部位は、所望の試料の間質液中の他の構成成分に対する反応が低いか又は反応しないことがある。
【００５４】
ＦＲＥＴプローブへの検体の結合は、グルコース濃度に反応する蛍光信号をもたらし得る。いくつかの代表的な実施形態では、ＦＲＥＴに基づくプローブは、わずか１０μＭの濃度のグルコースにも反応することができ、かつ最高数百ミクロモルまでの濃度に反応し得る。様々なＦＲＥＴプローブを遺伝学的に設計及び形成し得る。得られるプローブは、被験者の間質液の分析を助け得る構造に構成し得る。いくつかの代表的な実施形態では、プローブは、間質液及びそれらのコンポーネントに対して透過性の材料のマトリックスの内部に配置することができ、例えば、ＦＲＥＴプローブは、ヒドロゲル構造体に組み立てることができる。
【００５５】
いくつかの代表的な実施形態では、これらのヒドロゲルプローブは、それらが眼の上に着用されたときに涙液中に浸漬されるヒドロゲル封入内で存在し得るようなやり方で、眼用コンタクトレンズのヒドロゲルに基づく処理工程中に含めることができる。他の代表的な実施形態では、プローブは、鞏膜のすぐ上の眼組織に挿入し得る。蛍光発光検体反応性のプローブを含むヒドロゲルマトリックスは、検体を含有する体液と接触している様々な場所に配置し得る。
【００５６】
提供した例では、蛍光プローブは、鞏膜の近くの眼領域の間質液と接触し得る。これらの場合、プローブが侵襲的に埋め込まれているところで、検出器は、眼用レンズから、又は眼の近くに保持されている携帯デバイスなどの眼の外部の場所から、蛍光プローブ上に放射信号の入射を提供し得る。
【００５７】
他の代表的な実施形態では、プローブは、眼用レンズの内部に埋め込むこともまた可能な蛍光検出デバイスに近接した眼用レンズの内部に埋め込まれてもよい。いくつかの代表的な実施形態では、ヒドロゲルのスカートは、蛍光検出器を有する眼用インサートと並びにＦＲＥＴに基づく検体プローブとの両方を封入し得る。
【００５８】
蛍光検出器を有する眼用インサートデバイス及び眼用デバイス
図３を参照すると、代表的な蛍光に基づく分析システムを形成し得るコンポーネントを含む、眼用インサートが示されている。図の眼用インサートは、内部の境界３３５及び外部の境界３２０を有する代表的な環状形で示されている。エネルギー印加素子３３０、制御回路３１０、及び相互接続機構３６０に加えて、蛍光分析システム３５０が存在する場合があり、これは、特定の代表的な実施形態では、フラップ３４０上に配置され得る。フラップ３４０は、インサート３００に接続されてもよく、又は一体式の、それ自体のモノリシックな延長部分であってもよい。フラップ３４０は、蛍光検出器を含む眼用デバイスが着用されたときに蛍光分析システム３５０を適切に配置し得る。フラップ３４０は、分析システム３５０がオプティカルゾーンから離れている使用者の眼の部分と重なることを可能にする。蛍光に基づく分析システム３５０は、流体試料中の検体の存在又はその濃度によって検体を決定することができる。非限定的な例として、フルオロフォアは、フルオレセイン、テトラメチルローダミン、又はローダミン及びフルオレセインの他の誘導体を含み得る。当該技術分野における当業者には明らかであり得るように、ＦＲＥＴ又は他の蛍光に基づく分析のためのフルオロフォアの組み合わせを含み得る、任意の蛍光発光検体プローブが、本明細書の技術と一致し得る。
【００５９】
蛍光分析のために、プローブを励起光源で照射し得る。この光源は、分析システム３５０の本体内に位置づけることができる。いくつかの代表的な実施形態では、光源は、発光ダイオードのようなソリッドステートデバイス（単数又は複数）を含み得る。代表的な代替実施形態では、ＩｎＧａＮ系の青色レーザーダイオードは、例えば、波長４４２ｎｍに相当する周波数で照射し得る。個々の又は配列された光源としてのナノスケールの光源を、蝶ネクタイ又は十字のような形状の発光機構を有する金属製の空洞から形成し得る。他の代表的な実施形態では、発光ダイオードは、例えば、約４４０ｎｍに相当する波長の周波数の範囲で発光し得る。また、いくつかの実施形態では、帯域通過フィルタリングデバイスを発光源に補ってもよい。
【００６０】
他の光学素子を使用して、ソリッドステートデバイスがインサートデバイスを出る際に、ソリッドステートデバイスから光源を拡散してもよい。これらの素子は、眼用インサート本体自体に一体成形されてもよい。他の代表的な実施形態では、光ファイバーのフィラメントのような素子を、拡散エミッタとして機能させるためにインサートデバイスに取り付けてもよい。図３に示したタイプの眼用インサートデバイス３００から蛍光プローブに放射を提供する多くの手段があり得る。
【００６１】
蛍光信号は、蛍光に基づく分析システム３５０の内部でも検出され得る。例えば、帯域で約５２５ｎｍの光を検出するために、ソリッドステート検出素子を構成し得る。ソリッドステート素子は、記載した光源に存在しない周波数の帯域のみを通過するようなやり方で被覆し得る。他の代表的な実施形態では、光源はデューティサイクルを有することができ、検出素子の信号は、光源がオフ状態である期間中にのみ記録され得る。デューティサイクルが使用されるとき、広域の帯域検出能力を有する検出器が有利であり得る。
【００６２】
項目３６０として概略的に示した相互接続部の電子制御バスは、光源（単数又は複数）に信号を提供し、検出器から信号を返還することができる。通電される電子コンポーネント（項目３１０）は、信号及び電力の態様を提供し得る。図３の代表的な実施形態は、電子回路３１０に対するバッテリ電源３３０を示す。他の代表的な実施形態では、高周波転送又は光電転送のようなワイヤレス方式を介して、エネルギーの連結により電子回路にエネルギー印加を提供し得る。
【００６３】
図４Ａ〜４Ｂを参照すると、蛍光検出器が組み込まれている、突起タブ４１１を有するコンタクトレンズの形状の眼用レンズが示されている。図４Ｂにおいて、項目４１０は眼用レンズの平面図を表す。それは眼用レンズスカート４７０を含む。いくつかの実施形態では、スカート４７０は、コンタクトレンズのフォーメーションと一致する様々なヒドロゲル化合物で形成され得る。他の代表的な実施形態では、特定のヒドロゲル化合物が、記載した様々な蛍光プローブと関係するそれらの特性のために、好ましい場合がある。
【００６４】
点線４３０によって断面が示されている。点線４３０に沿った断面の描写を図４Ａに見出すことができる。図３に記載したインサートデバイス３００は、眼用レンズの内部に位置づけることができ、４３０に描いたような環状の断面図４３２を有する。このレンズは、項目４３１のような環状の部品上に示され得る印刷された虹彩模様４４０とともに描かれている。印刷模様の下には、図３を参照して説明したようなインサートコンポーネントがあり得る。蛍光検出素子は、４３３に位置づけることができる。眼用レンズ４１０は、蛍光検出器を有するレンズの機能にとって重要な他の機構もまた有し得る。４５０及び４６０で、形成された眼用デバイスの本体内に安定化機構を含めてもよい。これらの機構は、使用者に着用されたときに、レンズ４００が好ましい構成で配向されることを可能にし得る。蛍光に基づく検体プローブが使用者の眼に埋め込まれる代表的な実施形態において、安定化機構４５０及び４６０は、埋め込まれた検体プローブと蛍光分析素子４８０との間の良好な重なり合いを助けるために有用であり得る。検体プローブがレンズのヒドロゲル体４７０に含まれ得る他の代表的な実施形態では、安定化機構４５０及び４６０は、涙液を伴う眼の好ましい領域に分析素子及びプローブを配向するために有用であり得る。
【００６５】
図５Ａ及び５Ｂを参照すると、蛍光検出器が組み込まれた眼用デバイスの、使用者の眼５１０における使用が、サブ組織（sub-tissue）下に埋め込まれた検体プローブ５２０とともに示されている。描写のように、眼用デバイス５３０が使用者の眼の上に配置され、眼用デバイス上の機構によって案内され得る配向をとると、眼用デバイスは、検体プローブ５２０との重なり合いにおいて、蛍光に基づく分析素子５４０を位置づけることができる。分析素子５４０の大きさをプローブ５２０の大きさより大きくして、それらの２つの機構の整合にいくらかの柔軟性を与えるようにすることは有用であり得る。
【００６６】
図６を参照すると、蛍光検出器が組み込まれた眼用デバイスから外部のデータ受信デバイスへの情報の転送が描かれている。埋め込まれた分析素子がその周囲と平衡状態になり、検体の分析を開始することを可能にするように、十分な時間にかけて、眼用レンズ６１０を使用者の眼の上に着用し得る。データが収集されるにつれて、又は他の代表的な実施形態ではデータが収集された後に、データ転送プロトコルを開始し得る。矢印６３０によって表される無線信号を眼用レンズ６１０から放出して、外部の受信デバイス６５０と通信し得る。受信素子６４０は、高周波伝送又は他のトランスデューサが、光に基づく信号、音に基づく信号、又は他の無線通信形態を、受信デバイス６５０で受信される情報に変換するための、アンテナを含むことができる。
【００６７】
いくつかの代表的な実施形態では、蛍光検出器が組み込まれた眼用レンズの通電動作は、眼用インサートデバイスに含まれるモノリシックなコンポーネントとともに良好に機能し得る。図７に示すような他の代表的な実施形態では、電力管理７１５、通信７４５、制御機能７５０及び光透過及び蛍光信号受信７１０を含む様々な機能を実行するために、積層型集積コンポーネントが有用であり得る。
【００６８】
このタイプの代表的な実施形態では、図７に描写するように、メディアインサートは、異なるタイプの多数の層が占有することになる眼環境と一致した形状に封入される異なるタイプの多数の層を含み得る。いくつかの代表的な実施形態では、積層型集積コンポーネントを有するこれらのインサートは、インサートの環状形の全体をとることができる。あるいは、いくつかの代表的な実施形態では、メディアインサートは環状であってよく、積層型集積コンポーネントがその全体の形の内部の容積の一部のみを占有し得る。
【００６９】
図７の例で続けると、積層型集積コンポーネントのメディアインサートは、多数の機能的な側面をとることができる。図７に示すように、エネルギー印加をもたらすために薄膜バッテリが使用され得る。いくつかの代表的な実施形態では、これらの薄膜バッテリは、互いに積み重ねられた１つ又は２つ以上の層を含むことができ、この場合、層７３０は、層に複数のコンポーネントを有するバッテリ層を表すことができる。
【００７０】
ほぼ全ての層に見られるように、互いに積み重ねられた２層間に作られた相互接続部があり得る。現況技術において、これらの相互接続部を作る多くのやり方が存在するが、図示されているように、相互接続部は、層間のはんだ玉相互接続によって作ることができる。場合によっては、これらの接続のみが必要である場合があるが、場合によっては、はんだ玉は、例えば、層貫通ビアを有するコンポーネントを伴う、他の相互接続要素と接触し得る。
【００７１】
積層型集積コンポーネントのメディアインサートの他の層では、例えば、層７２５のような、相互接続層における様々なコンポーネントの相互接続専用の層を見出し得る。この層は、様々なコンポーネントから他のコンポーネントに信号を通過させるビア及び経路線を含み得る。例えば、層７２５は、サプライ７４０及びバッテリ充電器７６５を含む電力管理ユニット７２０への接続を、層７１５の技術層コンポーネントに存在し得る様々なバッテリ素子にもたらすことができる。また、相互接続層７２５は、技術層のコンポーネントと、例えば、項目７５５に示すような集積受動デバイスコンポーネント７６０に存在し得るような技術層外のコンポーネントとの間の接続を作ることができる。専用の相互接続層の存在により支持され得る電気信号の経路指示のための多くのやり方が存在し得る。
【００７２】
所与の適用において、技術層として特定される多くの層が存在し得るが、この代表的な実施形態においては、単一の層７１５が存在する。これらの特徴は、メディアインサートに含めることが可能な多様な技術オプションを表す。いくつかの代表的な実施形態では、層は、ＣＭＯＳ、ＢｉＣＭＯＳ、双極、又はメモリに基づく技術を含み得る。あるいは、層は、同じ総合的なファミリーの中の異なる技術ファミリーを含むことができ、例えば、層７１５は、０．５マイクロメートルのＣＭＯＳ技術を用いて製造される電子素子を含むことができ、２０ナノメートルのＣＭＯＳ技術を用いて製造される素子もまた含み得る。様々な電子技術のタイプの多くの他の組み合わせが、本明細書に記載された技術の範囲と一致するであろうことは、明白であり得る。
【００７３】
いくつかの代表的な実施形態では、メディアインサートは、メディアインサートの外のコンポーネントへの電気相互接続のための場所を含むことができる。しかし、他の代表的な実施形態では、メディアインサートは、無線方式での外部のコンポーネントへの相互接続部もまた含み得る。そのような場合、アンテナの使用は、無線通信の代表的な方式を提供し得る。いくつかのそのような代表的な実施形態では、項目７３５として示されている層が存在してもよく、そのような代表的なアンテナがその層で支持されてもよい。多くの場合、そのようなアンテナ層は、メディアインサート内の積層型集積コンポーネントデバイスの上又は下に位置づけられ得る。
【００７４】
本明細書に記載したいくつかの代表的な実施形態では、バッテリ素子は、積み重ねられた層自体の少なくとも１つに素子として含められてもよい。バッテリ素子が、積層型集積コンポーネント層の外部に位置づけられる他の代表的な実施形態が可能であることもまた述べておくことができる。代表的な実施形態のまた更なる多様性は、別個のバッテリ又は他のエネルギー印加コンポーネントもまたメディアインサートの内部に存在し得るという事実からもたらされる場合があり、又はこれらの別個のエネルギー印加コンポーネントもまた、メディアインサートの外部に位置づけることができる。
【００７５】
項目７１０で、蛍光検出素子は、積層型集積コンポーネントに取り付けることができる。いくつかの代表的な実施形態では、蛍光検出コンポーネントは、層の一部分として取り付けることができる。他の代表的な実施形態では、蛍光検出素子全体が、類似の形をしたコンポーネントを、他の積層コンポーネントとして備えてもよい。本明細書に記載した様々な多様なタイプの蛍光に基づく分析素子は、光源及び光センサのような他の機構のいずれかが層の一部であるか、あるいは積層型集積コンポーネントに取り付けられている、積層型集積コンポーネントデバイスと一致し得る。
【００７６】
統合された蛍光に基づく分析コンポーネントを有する眼用デバイスのためのコントロールシステム
ここで図８を参照すると、本発明のいくつかの代表的な実施形態に従って使用され得るコントローラが示されている。コントローラは、通信デバイス８２０に結合した１つ又は２つ以上のプロセッサコンポーネントを含み得る、１つ又は２つ以上のプロセッサ８１０を含む。
【００７７】
プロセッサ８１０は、通信チャネルを介してエネルギーを伝達するように構成された通信デバイスに連結され得る。通信デバイスは、眼用デバイスの内部の眼用インサートの内部のコンポーネントと電子的に通信するために使用され得る。通信デバイス８２０を使用して、例えば、蛍光に基づく分析素子が組み込まれた眼用デバイスの生産中に、１つ又は２つ以上のコントローラ装置又は製造設備コンポーネントと通信することもまた可能である。
【００７８】
プロセッサ８１０はまた、記憶デバイス８３０と通信し得る。記憶デバイス８３０は、磁気記憶デバイス（例えば、磁気テープ及びハードディスクドライブ）、光記憶デバイス、並びに／又はランダムアクセスメモリ（ＲＡＭ）デバイス及びリードオンリーメモリ（ＲＯＭ）デバイス等の半導体記憶デバイスの組み合わせを含む、任意の適切な情報記憶デバイスを備え得る。
【００７９】
記憶デバイス８３０は、プロセッサ８１０を制御するためのプログラム８４０を記憶することができる。プロセッサ８１０は、ソフトウェアプログラム８４０の指示を実行し、それによって、本発明に従って動作する。例えば、プロセッサ８１０は、メディアインサートの定置、コンポーネントの定置などを記述する情報を受信し得る。記憶デバイス８３０はまた、１つ又は２つ以上のデータベース８５０及び８７０内の眼科関連データを記憶することもできる。データベースは、蛍光に基づく分析システムの機能を制御するためのカスタマイズされた特定のコントロール配列を含み得る。データベースはまた、眼用デバイスに存在し得る蛍光に基づく分析コンポーネントの制御のためのパラメータ及び制御アルゴリズム、並びにそれらの作用の結果であるデータもまた含み得る。いくつかの代表的な実施形態では、そのデータは、最終的には、眼用デバイスの外部に位置づけられた受信デバイスに伝達され得る。
【００８０】
本明細書に記載したコンポーネントの全てが眼用デバイス又はアプリケーションでの使用のための大きさに作られ、構成されることが可能であることを認識することは、重要である。加えて、それらのコンポーネントは、好ましくは、生体適合性であるか、又は生体適合性の材料内に封入される。
【００８１】
図示及び説明されたものは、最も実用的かつ好ましい実施形態であると考えられるが、当業者であれば、本明細書に説明及び図示した特定の設計及び方法からの変更は、それ自体当業者にとって自明であり、本発明の趣旨及び範囲から逸脱することなく使用できることは明らかであろう。本発明は、説明及び図示される特定の構造に限定されるものではないが、付属の特許請求の範囲に含まれ得るすべての改変例と一貫性を有するものとして解釈されなければならない。
【００８２】
〔実施の態様〕
（１）  眼用レンズメディアインサートデバイスであって、
前側の環状インサート部品が後側の環状インサート部品に封着されて、封着されたコンポーネント空洞を内部に備える環状メディアインサートを形成している、前側の環状インサート部品及び後側の環状インサート部品と、
前記封着されたコンポーネント空洞内のエネルギー源と、
前記封着されたコンポーネント空洞内に少なくとも部分的に位置づけられた少なくとも第１の相互接続部と、
前記封着されたコンポーネント空洞内の電子回路と、
前記環状インサート部品から突出しているタブであって、蛍光分析コンポーネント、及び前記蛍光分析コンポーネントを前記電子回路に接続する少なくとも１つの電気相互接続部を支持するように構成されている、タブと、を備える、眼用レンズメディアインサートデバイス。
（２）  前記タブが、前記前側の環状インサート部品の成形された一部分であり、
前記蛍光分析コンポーネントが、前記後側の環状インサート部品の前記タブ部分上で支持される、実施態様１に記載の眼用レンズメディアインサート。
（３）  前記タブが、前記後側の環状インサート部品の成形された一部分であり、
前記蛍光分析コンポーネントが、前記後側の環状インサート部品の前記タブ部分上で支持される、実施態様１に記載の眼用レンズメディアインサート。
（４）  前記タブが、前記前側の環状インサート部品及び前記後側の環状インサート部品の両方の成形された一部分であり、前記蛍光分析コンポーネントが、前記前側の環状インサート部品及び前記後側の環状インサート部品のタブ領域によって形成された前記タブの空洞の内部で支持される、実施態様１に記載の眼用レンズメディアインサート。
（５）  眼用コンタクトレンズデバイスであって、
前側の環状インサート部品が後側の環状インサート部品に封着されて、封着されたコンポーネント空洞を内部に備える環状メディアインサートを形成する、前側の環状インサート部品及び後側の環状インサート部品と、
前記封着されたコンポーネント空洞内のエネルギー源と、
前記封着されたコンポーネント空洞内に少なくとも部分的に位置づけられた少なくとも第１の相互接続部と、
前記封着されたコンポーネント空洞内の電子回路と、
前記環状インサート部品から突出しているタブであって、蛍光分析コンポーネント、及び前記蛍光分析コンポーネントを前記電子回路に接続する少なくとも１つの電気相互接続部を支持するように構成されている、タブと、
前記メディアインサートを含むヒドロゲルスカートと、を備える、眼用コンタクトレンズデバイス。
【００８３】
（６）  安定化機構を更に備え、前記眼用コンタクトレンズデバイスが使用者により着用されているときに、前記安定化機構が、前記蛍光分析コンポーネントを空間に位置づけることを助ける、実施態様５に記載の眼用コンタクトレンズデバイス。
（７）  前記電子回路が、積層型集積コンポーネントデバイスを備える、実施態様５に記載の眼用コンタクトレンズデバイス。
（８）  眼用デバイスのための眼流体分析システムであって、
前記眼用デバイスの一部を形成するエネルギー源を備えているエネルギー印加された眼用デバイスであって、使用者の眼の前記眼流体と接触して配置されている間に着用するために好適である、エネルギー印加された眼用デバイスと、
前記エネルギー源と電気通信する蛍光分析システムであって、前記眼環境における蛍光信号を測定するように構成される、蛍光分析システムと、
眼組織内に埋め込まれた蛍光分析プローブであって、前記蛍光分析プローブが、その場所の流体中の少なくとも第１の化合物と相互作用し、前記蛍光分析プローブが相互作用する前記第１の化合物の濃度及び前記蛍光分析システムから前記蛍光分析プローブが受信する励起信号に少なくとも部分的に基づく特性信号を発する、蛍光分析プローブと、
前記眼用デバイスの一部を形成するプロセッサであって、前記蛍光分析システムによって観察された前記蛍光信号に関係する値を記憶することを含むプログラムを実行する能力を有し、前記プログラムは、送信コマンドを外部デバイスから受信したときに信号を出力するように構成され、前記出力された信号は、前記記憶された値のいくつかを前記出力された信号にエンコードする、プロセッサと、を備える、眼流体分析システム。
（９）  眼用デバイスのための眼流体分析システムであって、
前記眼用デバイスの一部を形成するエネルギー源を備えているエネルギー印加された眼用デバイスであって、使用者の眼の前記眼流体と接触して配置されている間に着用するために好適である、エネルギー印加された眼用デバイスと、
前記エネルギー源と電気通信する蛍光分析システムであって、前記眼環境における蛍光信号を測定するように構成される、蛍光分析システムと、
眼組織内に埋め込まれた蛍光分析プローブであって、前記蛍光分析プローブが、その場所の流体中の少なくとも第１の化合物と相互作用し、前記蛍光分析プローブが相互作用する前記第１の化合物の濃度及び前記蛍光分析システムから前記蛍光分析プローブが受信する励起信号に少なくとも部分的に基づく特性信号を発する、蛍光分析プローブと、
前記眼用デバイスの一部分を形成するプロセッサであって、前記蛍光信号特性によって示される１つ又は２つ以上の眼流体特性に関して、検出された蛍光信号を予めプログラムされた閾値に対して評価することを含むプログラムを実行する能力を有し、前記プログラムは、それらの測定値が、対応する前記予めプログラムされた閾値の外であるときに、信号を出力するように構成される、プロセッサと、を備える、眼流体分析システム。
（１０）  眼流体を監視する方法であって、
蛍光分析システムを備える眼用コンタクトレンズを使用者に提供すること、及び
前記眼用コンタクトレンズから発せられた送信に関係するデータ値を受信すること、を含む、方法。
【図１Ａ】
2015045864.tif 000003
【図１Ｂ】
2015045864.tif 000004
【図２Ａ】
2015045864.tif 000005
【図２Ｂ】
2015045864.tif 000006
【図３】
2015045864.tif 000007
【図４Ａ】
2015045864.tif 000008
【図４Ｂ】
2015045864.tif 000009
【図５Ａ】
2015045864.tif 000010
【図５Ｂ】
2015045864.tif 000011
【図６】
2015045864.tif 000012
【図７】
2015045864.tif 000013
【図８】
2015045864.tif 000014
【外国語明細書】
2015045864000001.pdf